(57)【特許請求の範囲】
【請求項１】
可動家具部（５）をロックおよび排出するための構造物であって、
家具枠本体（３）または可動家具部（５）の両側に配置された２体のロック解除可能な排出装置（１，２）を含んでおり、
２体の前記ロック解除可能な排出装置（１，２）は、弾性部品（１６）と、当該弾性部品からの荷重をうける排出器（１３）と、ハウジング（１９）と、直線式に移動可能なガイドキャリッジ（１７）に取り付けられたラッチ部品（１８）と、ロック部品（４）とを有し、
前記ラッチ部品（１８）が前記ハウジング（１９）に提供されているハート形曲線形状スライドガイド経路（１０）に係合されており、
前記可動家具部（５）は、前記ロック部品（４）によって閉じられた状態となる閉端位置（Ｅ）に保持されることができ、
且つ前記可動家具部（５）は、前記閉端位置（Ｅ）からさらに内側に押し込むことによって排出することができ、
２体の前記ロック解除可能な排出装置（１、２）の前記直線式に移動可能なガイドキャリッジ（１７）は、回転可能なシンクロロッド（６）によって連結されることを特徴とする構造物。
【請求項２】
前記ガイドキャリッジ（１７）は、前記ガイドキャリッジ（１７）の直線運動を前記シンクロロッド（６）の回転運動に変換するための伝達機構（７）によって前記シンクロロッド（６）に接続されていることを特徴とする請求項１記載の構造物。
【請求項３】
前記伝達機構（７）は、前記排出装置側に取り付けられた移動可能な取付け部品（８）と、前記シンクロロッド側に作用力を伝達するための回転部品（９）とを含んでおり、
前記移動可能な取付け部品（８）は、前記ガイドキャリッジ（１７）に連結されていることを特徴とする請求項２記載の構造物。
【請求項４】
前記移動可能な取付け部品（８）は、歯型部品（８ａ）であり、回転部品（９）は、歯車（９ａ）であることを特徴とする請求項３記載の構造物。
【請求項５】
前記ラッチ部品（１８）が閉端位置（Ｅ）に到達しているとき、前記ロック部品（４）が、前記可動家具部（５）に取り付けられている保持部品（１２）を介して、前記可動家具部（５）を前記閉端位置（Ｅ）に保持することを特徴とする請求項１から４のいずれかに記載の構造物。
【請求項６】
前記ラッチ部品（１８）は、該ラッチ部品（１８）に装着されている突出部（１１）によって前記ハート形曲線形状スライドガイド経路（１０）に係合されることを特徴とする請求項１から５のいずれかに記載の構造物。
【請求項７】
前記可動家具部（５）は、前記ロック解除可能な排出装置（１、２）の一部である前記排出器（１３）によって、前記可動家具部（５）に取り付けられている保持部品（１２）を介して開かれるかもしくは排出されることを特徴とする請求項５に記載の構造物。
【請求項８】
前記移動可能なガイドキャリッジ（１７）は、弾性部品（１６）からの荷重をうけることを特徴とする請求項１から７のいずれかに記載の構造物。
【請求項９】
前記ロック部品（４）、前記歯型部品（８ａ）、前記排出器（１３）および前記ラッチ部品（１８）は、前記ガイドキャリッジ（１７）に連結されていることを特徴とする請求項４に記載の構造物。
【請求項１０】
前記ガイドキャリッジ（１７）、前記排出器（１３）および前記歯型部品（８ａ）は、一体式であることを特徴とする請求項４に記載の構造物。
【請求項１１】
前記ロック部品（４）は、前記ガイドキャリッジ（１７）に旋回点（Ｔ）を介して旋回式に取り付けられており、前記ラッチ部品（１８）は、旋回点（Ｘ）を介して前記ガイドキャリッジに旋回式に取り付けられていることを特徴とする請求項１から１０のいずれかに記載の構造物。
【請求項１２】
前記ガイドキャリッジ（１７）は、ハウジング（１９）内に直線移動式に配置されていることを特徴とする請求項１から１１のいずれかに記載の構造物。
【請求項１３】
前記歯型部品（８ａ）、前記排出器（１３）および前記ロック部品（４）は、ハウジング開口部（２０）を通って前記ハウジングから突出していることを特徴とする請求項４記載の構造物。
【請求項１４】
前記ハウジング（１９）内には、前記ハート形曲線形状スライドガイド経路（１０）が提供されており、そこには、前記ラッチ部品（１８）に装着されている突出部（１１）が係合することを特徴とする請求項６記載の構造物。
【請求項１５】
前記ハウジング（１９）内には、制御カムスライドガイド経路（２１）が提供されており、そこには、前記ロック部品（４）上に配置されている制御カム突出部（２２）が係合することを特徴とする請求項１２から１４のいずれかに記載の構造物。
【請求項１６】
前記ハウジング（１９）は、取付けプレート（２３）上に装着できることを特徴とする請求項１２から１５のいずれかに記載の構造物。
【請求項１７】
２体の前記ロック解除可能な排出装置（１、２）は、前記取付けプレート（２３）によって家具（２４）の家具枠体（３）の離れた側面または、表面に装着でき、引き続き挿入される前記シンクロロッド（６）によって接続できることを特徴とする請求項１６記載の構造物。
【請求項１８】
弾性部品（１６）であるバネを備えており、前記ガイドキャリッジ（１７）に作用する前記弾性部品（１６）のバネとしての荷重は、前記可動家具部（５）の排出方向（ОＲ）に作用し、前記可動家具部（５）の閉方向（ＳＲ）への移動中に蓄積され、排出方向（ОＲ）への開運動時に前記排出器（１３）は、前記弾性部品（１６）からの荷重を受けたガイドキャリッジ（１７）への連結によって前記可動家具部（５）の前記保持部品（１２）を直線式に排出することを特徴とする請求項５に記載の構造物。
【請求項１９】
前記シンクロロッド（６）の両端に、前記歯車（９ａ）が配置されており、該歯車（９ａ）は、それぞれ２体の前記排出装置（１、２）の前記歯型部品（８ａ）に噛合することを特徴とする請求項４に記載の構造物。
【請求項２０】
前記歯車（９ａ）は、スプラインシャフト（２９）によって前記シンクロロッド（６）に非回転式に接続されていることを特徴とする請求項１９記載の構造物。
【請求項２１】
前記シンクロロッド（６）内には、該シンクロロッド（６）の縦方向にて前記歯車（９ａ）の少なくとも一つに作用する、少なくとも一つの弾性部品（１５）が配置されていることを特徴とする請求項１９または２０に記載の構造物。
【請求項２２】
前記シンクロロッド（６）内には、該シンクロロッド（６）の両端に非回転式関係に取り付けられた前記歯車（９ａ）と、前記シンクロロッド（６）の縦方向に作用する２体の弾性部品（１５）が配置されていることを特徴とする請求項１９または２０記載の構造物。
【請求項２３】
閉方向（ＳＲ）に前記可動家具部（５）を閉じられた状態となる前記閉端位置（Ｅ）まで移動させる自動引き込み装置を含んでいることを特徴とする請求項１から２２のいずれかに記載の構造物。
【請求項２４】
可動家具部（５）をロックおよび排出させるための請求項１から２３のいずれかに記載の構造物のためのロック解除可能な排出装置（１，２）であって、
前記ロック解除可能な排出装置（１，２）は、弾性部品（１６）と、当該弾性部品からの荷重をうける排出器（１３）と、直線式に移動可能なガイドキャリッジ（１７）に取り付けられ、ハート形曲線形状スライドガイド経路（１０）に係合するラッチ部品（１８）とを含んでおり、
それによって前記可動家具部（５）は、閉じられた状態となる閉端位置（Ｅ）に保持されることができ、
前記閉じられた状態となる閉端位置（Ｅ）から、前記可動家具部（５）をさらに内側に押し込むことで排出することができ、
前記移動可能なガイドキャリッジ（１７）は、移動可能な取付け部品（８）の形態である駆動部分に連結され、シンクロロッド（６）の回転部品（９）に作用力を伝達するように接続されることを特徴とするロック解除可能な排出装置。
【請求項２５】
前記移動可能な取付け部品（８）は、歯型部品（８ａ）の形態であり、該歯型部品（８ａ）を備えた第２のロック解除可能な排出装置への前記シンクロロッド（６）による作用力および動作伝達のため、歯車（９ａ）の形態である回転部品（９）と噛合関係に配置できることを特徴とする請求項２４記載のロック解除可能な排出装置。
【請求項２６】
請求項１から請求項２３のいずれかに記載の構造物を含んだ家具。
【請求項２７】
請求項２４または請求項２５記載のロック解除可能な排出装置（１、２）を両側にそれぞれ備えた家具。
【発明の詳細な説明】
【技術分野】
【０００１】
本発明は、可動家具部をロックおよび排出するためのアレンジ（構造物）であって、家具枠本体または可動家具部の両側にアレンジされた２体のロック解除可能な装置と、スプリング式排出器とを含む。ロック解除可能な排出装置は、直線式に移動可能なキャリッジに取り付けられたラッチ部品を有し、ラッチ部品がハート形曲線形状のスライドガイド経路に係合することによって、可動家具部は、キャリッジ上にアレンジされたロック部品と共にまたは、ロック部品によって閉じたラッチ位置に保持されることができ、ラッチ位置は、可動家具部を内側に押し込むことによって解除できる。本発明は、そのような構造のためのロック解除可能な排出装置にも関する。
【背景技術】
【０００２】
いわゆるタッチラッチ機構によって可動家具部（特に引出し）をロックできる装置は、家具付属物の設計において既に長い間知られている。この場合、家具付属物は、引出しが閉じているとき、引出しをさらに押す（押し込む）ことによって引出しのロック解除が実行され、それによって、引き出しは閉じられる際に（一般的には、バネによって）反発エネルギーが蓄積されるエネルギー保存手段によって排出される。
【０００３】
そのような個別の付属物は、比較的に幅広い引出しの片側に使用されると、タッチラッチ機構の克服点または、解除点は、引出しが触れられる点の位置によって異なる。これは、しばしば可動家具部の傾斜姿勢となり、望ましくない。
【０００４】
この点で、例えば特許文献１は、解決策を既に提案しており、引出しの一方から他方へ旋回可能なロック機構の運動を直接的に伝達させるトーションロッドが提供されている。同様な形態は、特許文献１及び特許文献２からも知られている。特許文献３も可動家具部（例えばフラップ戸）を移動させるために家具の両側にそれぞれアレンジされたアクチュエータ装置に関し、２体のアクチュエータ装置は、その同期動作のためシンクロロッドによって移動式に連結されている。
【０００５】
これらの構造の弱点は、引出しの背後にアレンジされているため、これら家具付属品は、非常に大きな空間を必要とし、従って引出しは、家具枠体の終点まで完全に進入することができない。さらにロックおよび排出装置手段を別に設置することは、スペースの増加を必要とし、よってロック部品だけがシンクロロッドによって直接的に動的に連結されている。特許文献１では、排出器は、エクステンションガイドアセンブリ（構造物）（符号２３）の領域内にアレンジされており、よってその排出運動は、トーションロッドによって同期化されることができない。この結果、ロック解除がトーションロッドの直接的な運動の伝達によってほぼ同期的に実行されるため、可動家具部全体が排出時に傾斜姿勢となるが、それら排出力は、互いに両側で異なって独立的に発生し（僅かに遅れたロック解除、エネルギー保存手段の異なる排出力、および起動時に既に発生している引出しの傾斜姿勢）、それによって両側に不均等な排出力が作用し、引出しは、排出時に傾斜姿勢であるか、または傾斜姿勢となり始め、最悪の場合には、家具枠体に喰い込むことがある。
【０００６】
従来技術の弱点は、特に引出しが対角的に反対側に押し込まれることによって開けられる場合、ハート形曲線が片側だけに存在するために、排出移動距離が非常に長いことである。特に、押し込み力が先ず引出しに沿って接触部品の端部に伝達されなければならない。そこからトーションロッドが回転し、この場合、引出しが幅広い引出しである場合にひねり現象が発生する。そうなってやっと動作がハート形曲線でロック部品に伝わり、押し込みロック解除の発生後、および動作が戻された後、両方のロック部品がロック解除されて引出しが排出される。
【０００７】
さらに従来技術から、同期的でない２体のロック解除排出装置が提供され、よって引出しが傾斜姿勢にあるとき、ロック解除は、特に幅広い引出しの場合に片側だけで発生し問題となる可能性がある。例えば特許文献４は、スプリング式排出器（スプリング、排出部品）とラッチ部品（ロック部品）とで可動家具部をロックおよび排出させる装置に関する。これは、ハウジングのハート形曲線形状のスライドガイド経路に係合し、内側に押し込むことで（タッチラッチ原理を利用して）解除できる。この構造物は、引入れ装置を含んでいる。回転式シンクロロッドによる動作連結は、提供されていない。
【先行技術文献】
【特許文献】
【０００８】
【特許文献１】欧州特許出願公開第１７８５０６３Ａ１号明細書
【特許文献２】欧州特許出願公開第１８８７１７２Ａ２号明細書
【特許文献３】オーストリア国特許出願公開第５０２９３７Ａ１号明細書
【特許文献４】オーストリア国特許出願公開第５０３４９７Ａ１号明細書
【発明の概要】
【発明が解決しようとする課題】
【０００９】
本発明の目的は、従来技術に対して向上したロック解除可能な排出装置の提供であり、２体の同期化排出装置を有する構造物の提供である。特に本発明は、ラッチ位置での引出しの傾斜姿勢を防止することを目的とする。
【００１０】
本発明は、さらに引出しの開動作が、押し込み力が可動家具部に適用される領域と関係なく、できるだけ同時的にロック解除されて確実に起動されることを目的としている。
【課題を解決するための手段】
【００１１】
この目的は、２体のロック解除可能な排出装置の直線的に移動可能なキャリッジが回転式シンクロロッドによって動的に連結されることによって達成される。これは、キャリッジの直線移動をシンクロロッドの回転運動へ変換させる。両側のハート形曲線は、引出しの前部のどの位置でも、内側に押し込む力が調節されて同一形態で伝達され、最良の動作起動を確実に提供する。これは、可動家具部が、起動時、閉鎖時または、ラッチ位置に移動するときに傾斜姿勢になるおそれがないことを意味する。
【００１２】
一つの好適実施態様では、キャリッジは、キャリッジの直線運動をシンクロロッドの回転運動へと変換させる、伝達機構によってシンクロロッドに連結されている。特に好適には、伝達機構は、排出装置側に移動式に取り付けられた部品と、シンクロロッド側に作用力伝達のための回転部品とを含んでおり、移動式に取り付けられた部品は、キャリッジに動的に連結されている。これでラッチ部品から移動式に取り付けられた部品への力の直接的な伝達が提供される。
【００１３】
さらに好適な実施態様では、移動式に取り付けられた部品は、歯型部品であり、回転部品は、歯車部材である。あるいは、例えば伝達機構は、ベルト伝動部材または、摩擦車部材の形態であることができる。さらに別の実施態様では、結合機構が運動の変換を提供することもできる。
【００１４】
さらに好適には、キャリッジには、好適には、ラッチ部品のラッチ位置にてその上にアレンジされた保持部品によって閉端位置のロック位置で可動家具部を保持する旋回式ロック部品が取り付けられている。このようにして引出しの係止は、ロック部品の領域で行なわれ、ロック部品は、ガイドキャリッジによってラッチ部品と係合し、その上にアレンジされたハート形曲線突出部によってハート形曲線形状スライドガイド経路と係合し、ハート形曲線の凹んだ部分の閉端位置でそれを保持する。
【００１５】
さらに好適には、可動家具部は、ロック解除可能な排出装置の一部である排出器によって、その上にアレンジされた保持部品により開けられるか、または、排出される。
【００１６】
移動可能なガイドキャリッジは、好適には、バネである弾性部品によって作用を受ける。
【００１７】
個別のロック解除可能な排出装置において排出器とロック部品との同期化を提供するため、本発明の好適実施例は、ロック部品と、歯型部品と、排出器と、ラッチ部品とをガイドキャリッジに動的に連結させる。
【００１８】
直接的な作用力の流れを達成させて、および可能な限り理想的な排出運動とロック解除運動の同期化を達成するため、ガイドキャリッジと、排出器と歯型部品とが一体で提供されている。
【００１９】
ロッキング部品のロック解除は、その旋回性によって確実にされ、特に好適には、ロッキング部品と、ラッチ部品の両方がガイドキャリッジに回動点または、旋回点によって旋回式に取り付けられている。
【００２０】
個別のロック解除可能な排出装置の便利で確実な取り付けには、ガイドキャリッジがハウジング内に直線式に移動可能にアレンジされるように設計でき、好適には、歯型部品、排出器およびロック部品は、ハウジング開口部を介してハウジングから突き出し、それによってそれらは、一方側が回転部品または、歯車と、他方側が引出しの保持部品との動作伝達接触が可能となる。
【００２１】
ハウジング内には、ハート形曲線形状スライドガイド経路がさらに提供されることが望ましく、これにラッチ部品にアレンジされたハート形突出部が係合する。さらに制御カムスライドガイド経路をハウジング内に提供でき、ロック部品にアレンジされた制御カム突出部がそのスライドガイド経路に係合する。
【００２２】
家具枠体底部または可動家具部への簡易で確実な取り付けのため（可動家具部の場合には、保持部品は、家具枠体に取り付けられている）、ハウジングは、取り付けプレート上に装着できることが望ましい。
【００２３】
本発明によるロック解除可能な排出装置の最も簡易で効果的な取り付け方法、または、２体のロック解除可能な排出装置とシンクロロッドの全体的な構造は、第１および第２のロック解除可能な排出装置が、工具なしで家具の家具枠体の離れた側部または、表面に、取り付けプレートによって装着でき、その後に挿入されるシンクロロッドによって接続できる場合に達成される。
【００２４】
排出器のバネ力が蓄積および解放される際に、さらに好適には、ガイドキャリッジに作用するバネのバネ力は、可動家具部の排出方向に作用し、可動家具部の閉方向で蓄積され、排出方向への開動作時に、排出器は、可動家具部の保持部品をバネ搭載キャリッジへの動的連結によって直線式に排出させる。
【００２５】
さらに好適な実施態様では、シンクロロッドの両端は、好適には、回転式に取り付けられた歯車を有しており、それら歯車は、それぞれ第１および第２の排出装置の歯型部品と噛合する。
【００２６】
非回転性を確実にするため、歯車は、スプラインシャフトによってシンクロロッドに非回転式に接続されている。
【００２７】
既に所定の位置に取り付けられているであろうロック解除可能な排出装置間へのシンクロロッドの簡単な取り付けのため、シンクロロッドに、シンクロロッドの縦方向の歯車の少なくとも一つに作用する、好適には、バネである少なくとも１つの弾性部品を提供することが望ましい。別例としては、シンクロロッドに、シンクロロッドの端部にて非回転関係にアレンジされた歯車（９ａ）にシンクロロッドの縦方向に作用する２体の弾性部品をアレンジすることができる。
【００２８】
個別のロック解除可能な排出装置では、排出装置は、特に伝達部分に動的に接続された移動可能なキャリッジを有しており、シンクロロッドの回転部品と作用力伝達または、動作伝達関係にされることができる。
【００２９】
“請求項１から２３”に記載された構造を有する家具も本発明の対象である。換言すれば、そのような構造は、本発明による２体のロック解除可能な排出装置を含んだ家具装具セットおよびこれを接続するシンクロロッドと称することもできる。さらにロック解除可能な排出装置を有する家具も提供される。
【００３０】
本発明のさらなる詳細および利点は、図面で説明された実施例による実施態様の詳細な説明によって後述される。
【図面の簡単な説明】
【００３１】
【図１】図１は、家具の斜視図である。
【図２】図２は、引出しが開いた状態の家具の斜視図である。
【図３】図３は、家具装具セットの斜視図である。
【図４】図４は、ロック解除可能な排出装置の斜視図である。
【図５】図５は、ハウジングがない状態のロック解除可能な排出装置の斜視図である。
【図６】図６は、図５のロック解除可能な排出装置の側面図である。
【図７】図７は、ロック解除可能な排出装置とシンクロロッドの分解図である。
【図８】図８は、シンクロロッドを備えた閉動作中の２体のロック解除可能な排出装置の平面図である。
【図９】図９は、シンクロロッドを備えた閉動作中の２体のロック解除可能な排出装置の平面図である。
【図１０】図１０は、シンクロロッドを備えた閉動作中の２体のロック解除可能な排出装置の平面図である。
【図１１】図１１は、シンクロロッドを備えた閉動作中の２体のロック解除可能な排出装置の平面図である。
【図１２】図１２は、ロック解除可能な排出装置の分解平面図である。
【図１３】図１３は、ロック解除可能な排出装置の分解状態の底面図である。
【図１４】図１４は、ハウジングの底面図である。
【図１５】図１５は、ハウジング内のハート形曲線形状スライドガイド経路と制御カムスライドガイド経路の一部を示した図である。
【図１６】図１６は、シンクロロッドと延長ガイド手段を備えたロック解除可能な排出装置を示している。
【図１７】図１７は、ロック解除可能な排出装置を備えた引出しの半分の背面図である。
【図１８】図１８は、ロック解除可能な排出装置の別実施例の側面図である。
【図１９】図１９は、図１８のＡ部分の詳細図である。
【図２０】図２０は、ロック解除可能な排出装置のスプラインシャフトの別実施例の斜視図である。
【図２１】図２１は、ロック解除可能な排出装置のための保持スリーブの別実施例の側面図である。
【発明を実施するための形態】
【００３２】
図１は、家具２４の斜視図であり、３つの比較的に幅広い可動家具部５が家具枠体３内にアレンジされている。図２では、可動家具部５は、家具２４の枠対３から延出（開いた）状態であり、家具枠体底部３ａにアレンジされた延伸ガイド２５とロック解除可能な排出装置１を表示する。ロック解除可能な排出装置１に対してほぼ鏡像的対称であるロック解除可能な排出装置２は、左側領域にアレンジされているが、この図からは、見ることができない。図３では、２体のロック解除可能な排出装置１と２がシンクロロッド６によって接続されている。ロック解除可能な排出装置１と２のハウジング１９は、この場合取付けプレート２３上に固定されており、プレート２３は、枠体底部３ａまたは可動家具部５に取り付けることができる。左側領域は、排出器１３が保持部品１２（非図示である可動家具部５に接続されている）に接触する状態を示している。
【００３３】
図４は、取り付けプレート２３の固定部品２７を示している。シンクロロッド６の図４では、示されていない部分は、押込み挿入部材（接続具）２６のスプラインシャフト２８によって、およびそこに挿入されるスプラインシャフト２９によってさらに伝達機構７へ作用力伝達関係に接続されている。この場合のシンクロロッドは、例えば円形断面または、長円形断面の筒形状であり、金属またはプラスチックから作ることができる。
【００３４】
図５は、伝達機構７が歯車９ａ、歯型部品８ａおよび歯車９ａを回転式に保持するための保持スリーブ３１によって形成されている状態の詳細を示している。この図は、ロック解除可能な排出装置１のハウジング１９の内部をさらに示しており、ガイドキャリッジ１７は、ハウジング１９内で弾性部品１６（バネ）の縦方向に平行運動できる。
【００３５】
排出器１３と歯型部品８ａは、ガイドキャリッジ１７と一体的に作られている。さらにロック部品４とラッチ部品１８は、ガイドキャリッジ１７上に旋回式にアレンジされている。この場合ロック部品４は、旋回点Ｔで旋回可能に取り付けられており、制御カムスライド経路２１（ここでは、図示していない）内の制御カム突出部２２によって、ガイドキャリッジ１７の平行運動時に旋回式にガイドされる。これは、旋回点Ｘにてガイドキャリッジ１７に接続されており、ハート形曲線形状スライドガイド経路１０（ここでは、図示していない）内のハート形曲線突出部１１によってハウジング１９の下側にて旋回式にガイドされるラッチ部品１８に同様に当ては、まる。
【００３６】
図６は、図５のシンクロロッドを備えたロック解除可能な排出装置１の側面図である。この場合シンクロロッド６は、その内部領域にスプラインシャフト形状の凹部と切込み部とを有しており、そこに押し込み部品２６のスプラインシャフト２８が非回転式関係で係合する。
【００３７】
図７は、そこを通って歯型部品８ａが突出し、歯車９ａと接触するハウジング開口部２０の一部を備えたハウジング１９を示している。ガイドキャリッジ１７、歯型部品８ａおよび排出器１３は、一体的になっている。ハート形曲線突出部１１は、ラッチ部品１８に装着できる。ロック部品４は、制御カム突出部２２と一体となっており、旋回式突出部３６上に留められる。この図は、可動家具部５（図示せず）に取り付けられ、排出器１３とロック部品４に接触する保持部品１２も示している。
【００３８】
弾性部品１６は、ガイドキャリッジ１７に作用し、ガイドキャリッジ１７と取り付けプレート２３との間に少なくとも部分的に配置されている。ハウジング１９は、固定領域３２を介して取り付けプレート２３に固定できる。歯車９ａのための回転ベアリング３０を備えた保持スリーブ３１もまたハウジング開口部２０の領域に固定され、歯車９ａは、回転は、ブ３５を介して回転ベアリング３０内でガイドされる。歯車９ａは、挿入接続具２６にスプラインシャフト形状部２９によってバネ保持延長部３７と共に非回転式に取り付けられ、バネの形態の弾性部品１５がそれらの間にアレンジされる。それによってシンクロロッド６全体の長さに変化が提供され、常に同じスペースでアレンジされるわけでは、ないロック解除可能な排出装置１と２との間への特に延長ロッドの装着を可能にする。
【００３９】
さらに弾性部品１５および歯車９ａを備えたスプラインシャフト２９との押込み挿入接続具２６の接続は、弾性部品１５がシンクロロッド６全体の排出装置１と２との間での精密な調節および挿入を提供するため、商業的に入手できる金属円筒形ロッドは、粗く切断されるだけでよい。
【００４０】
図８は、シンクロロッド６によって接続されたロック解除可能な排出装置１と２の平面図である。この図は、可動家具部５が開いたときのラッチ部品１８、排出器１３と歯型部品８ａを備えたガイドキャリッジ１７およびロック部品４の位置を示している。その可動家具部５に関して、図８は、保持部品１２のみを示しており、後者は、閉方向ＳＲに移動されている。
【００４１】
図９では、それら保持部品１２が閉方向ＳＲに移動し、排出装具にて排出器１３に接触している。
【００４２】
可動家具部５の閉方向ＳＲへのさらなる移動は、可動家具部５が閉端位置Ｅ（図１０）に到達するまでガイドキャリッジ全体１７が排出器１３と保持部品１２により、閉方向ＳＲに移動される。その閉移動ＳＲ中に弾性部品１６が伸張し、それによっていわゆるエネルギー保存手段にエネルギーが蓄積される。ハート形曲線突出部１１は、その閉端位置Ｅで、図１５で示すハート形曲線スライドガイド経路１０の凹領域３３内に保持される。
【００４３】
ハート形曲線突出部１１がさらに閉端位置Ｅから閉方向ＳＲに移動し（図１１および図１５）、ハート形曲線の湾曲部３４に到達して、そこを抜けられ（克服点）、ハート形曲線突出部１１は、閉端位置Ｅの後ろの位置Ｐを通過すると、ハート形曲線突出部１１は、弾性部品１６をラッチ部品１８とガイドキャリッジ１７によってプレストレスしなくなり、部品１６は、蓄積解除されてガイドキャリッジ１７を排出器１３と共に開方向ＯＲに移動させる。この場合、排出器１３は、保持部品１２を連行することで引出し５は、開方向ＯＲに移動する。開運動ＯＲ方向移動中、制御カムスライドガイド経路２１内をガイドされる制御カム突出部２２の作用でロック部品４は、保持部品１２から旋回して離れ、それによって引出し５は、ロック解除され、同時に、ロック部品４と排出器１３がガイドキャリッジ１７によって動的に連結されるため、排出器１３によって排出プロセスが実行される。
【００４４】
ロック部品４、排出器１３、ラッチ部品１８および歯型部品８ａの全ての運動は、並進方向に少なくとも旋回点ＸおよびＴの領域内でガイドキャリッジ１７に動的に連結されるため、運動もまた伝達機構７によってシンクロロッド６の回転運動に変換され、それによってロック解除可能な排出装置１と２にそれぞれ伝達される。
【００４５】
図１２は、ロック解除可能な排出装置１の重要な部分を示しており、図１３は、対応する部分の底面図である。この点に関して図１３は、弾性部品１６がどのようにガイドキャリッジ１７の下または、内部にアレンジされ、左側領域にてロック関係で接続されるかを示している。ハウジング１９の下側には、ハート形曲線形状スライドガイド経路１０と制御カムスライドガイド経路２１が示されており、後者は、図１４で詳細に示されている。
【００４６】
図１５は、２体の制御カムを部分的に示しており、ハート形曲線突出部１１は、その閉移動ＳＲの開始部にて概略的に示されている。
【００４７】
ハート形曲線突出部１１は、ハート形曲線形状スライドガイド経路１０の下方領域に沿って閉端位置Ｅの方向に移動し、ハート形曲線突出部１１は、その端位置Ｅにて凹領域３３内で停止し、引出し全体がその場に保持される。引出し５を押し込むことで、ハート形曲線突出部１１は、閉端位置Ｅ後方の位置Ｐの方向に移動し、引出し５が操作人によって解除されるとハート形曲線突出部１１は、ハート形曲線形状スライドガイド経路１０の上方領域に沿って開方向ＯＲで反対方向に作用する弾性部品１６によって排出される。制御カムスライドガイド経路２１内のカム形態によって、ロック部品４の旋回運動を引き起こす制御カム突出部２２の移動が、ハート形曲線突出部１１の移動方向と対応する関係で発生する。
【００４８】
図１６は、家具枠体に搭載できるシンクロロッド６を備えた排出装置１と２を再び示しており、この図は、さらに右手領域に枠体の側壁に固定できる延長ガイド手段２５を示している。例示として、バネ搭載排出器もまたそこにアレンジでき、それ自体では、ロック解除可能な装置の一部を形成する必要は、ない。自動引き込み機構もここに提供できる。
【００４９】
図１７は、本発明による可動家具部５のための排出装置１の別実施例を示す背面図であり、可動家具部５の２分の１だけを示しているため、一つの延長ガイド手段２５と排出装置１のみが示されている。可動家具部５は、枠体レール３８と引出しレール３９とを含んだ延長ガイド手段２５で可動である。この実施例は、延長構造体全体よりも低い設置高の延伸式構造体の一部を示している。家具枠体３の後方レールとシンクロロッド６との間の衝突を防止するため、または可動家具部５または、家具枠体３の引き続く手動動作を回避するため、シンクロロッド６は、丸形断面では、なく長円形断面である。同様にスプラインシャフト２９も長円形断面である。排出装置１は、取付けプレート２３にアレンジされている。歯車９ａと歯形部材８ａとを備えた伝達機構（ここでは、詳しく図示しない）は、ハウジング１９にアレンジされる。長円形断面のスプラインシャフト２９は、歯車９ａにアレンジされ、これも長円形断面であるシンクロロッド６と係合する。
【００５０】
図１８は、図１７の実施例のロック解除可能な排出装置１の側面図であり、ハウジングは、一部が切り欠かれている。この図にも示されているが、図１８の部分Ａの詳細を示す図１９から特に理解できるように、シンクロロッド６だけでなくスプラインシャフト２９も全体が低い高さの長円形断面であり前述の実施例の丸形シンクロロッド６よりも平坦形状である。
【００５１】
図２０は、本発明の実施例の斜視図であり、歯車９上のスプラインシャフト２９は、長円形断面である。関連するシンクロロッド６もまた長円形断面である。
【００５２】
図２１の側面図は、回転シャフト３５とシンクロロッド６が正確に搭載されるよう、回転シャフト２５の突出部３５’に対応する開口部を有する保持スリーブ３１の別実施例を示している。この場合、正確な搭載とは、シンクロロッド６または、スプラインシャフト２９の長円形断面のフラットな箇所が上方に、すなわち、引出しの底部方向にアレンジされることを意味する。丸形断面のシンクロロッド６の場合、回転シャフト３５の保持スリーブ３１内への取り付け形態は、考慮外である。
【００５３】
このように、本発明では、全ての部品を工具を使用せずに組み立てることが可能である。さらに引出しは、両側に排出されるように設置できる。シンクロシャフトが引出しの下に配置されているので引出し後方でのスペースのロスがない。引出しおよび枠体に追加的な細工は、不要である。信号および力の伝達は、歯車のピニオンによって歯型部品にシンクロシャフトによって実行される。同期化は、さらにパネルへの作用力が片側にずれることを防止し、引出しは、確実に閉じられる。
【００５４】
シンクロロッドに関連しない全ての実施例は、ロック解除可能な排出装置と２体の実質的に鏡像対称のロック解除可能な排出装置の両方に関して説明されている。
【図１】
0005795307.tif 000002
【図２】
0005795307.tif 000003
【図３】
0005795307.tif 000004
【図４】
0005795307.tif 000005
【図５】
0005795307.tif 000006
【図６】
0005795307.tif 000007
【図７】
0005795307.tif 000008
【図８】
0005795307.tif 000009
【図９】
0005795307.tif 000010
【図１０】
0005795307.tif 000011
【図１１】
0005795307.tif 000012
【図１２】
0005795307.tif 000013
【図１３】
0005795307.tif 000014
【図１４】
0005795307.tif 000015
【図１５】
0005795307.tif 000016
【図１６】
0005795307.tif 000017
【図１７】
0005795307.tif 000018
【図１８】
0005795307.tif 000019
【図１９】
0005795307.tif 000020
【図２０】
0005795307.tif 000021
【図２１】
0005795307.tif 000022